(57)【要約】      （修正有）【課題】ユーザ認証によりデータ送信処理に制限がかけられている場合は、外部端末から受信しデータの送信をすることを防止でき、データ送信のセキュリティを高めることができるデータ送信装置及び制御方法を提供する。【解決手段】データ送信装置において、ユーザ認証機能を用いることにより、外部端末から送信されるデータを送信しないように設定する。これにより、ユーザ認証によりデータ送信処理に制限がかけられている場合は、データ送信をすることを防止する。【選択図】図７Ａ
2020065215.tif 000002
【特許請求の範囲】
【請求項１】
データを外部に送信する送信機能を有するデータ送信装置であって、
前記送信機能の宛先として設定された送信宛先にデータを送信する送信手段と、
前記送信機能で使用する宛先を含む設定データを外部端末から受信する受信手段と、
前記送信機能の利用時にユーザ認証を行うか否かを設定する設定手段と、
前記の設定手段によって前記送信機能の利用時にユーザ認証を行うことが設定されていることに少なくとも従って、前記受信手段で受信する前記送信機能で使用する宛先を含む設定データに基づいては、前記送信機能で使用する送信宛先を設定しないように制御する制御手段と、
を有することを特徴とするデータ送信装置。
【請求項２】
前記設定手段は、更に前記送信機能の設定として、前記設定データの受信を許可するか否かを設定でき、
前記制御手段は、前記設定手段で前記設定データの受信を許可する設定がなされていれば、前記送信機能の利用時にユーザ認証を行うことが設定されていたとしても、前記受信手段で受信する前記送信機能で使用する宛先を含むデータに基づき前記送信機能で使用する送信宛先を設定するよう制御することを特徴とする請求項１に記載のデータ送信装置。
【請求項３】
前記設定手段は、更に、前記送信機能の設定として、前記送信機能の利用を禁止することを設定できる
ことを特徴とする請求項１に記載のデータ送信装置。
【請求項４】
前記設定手段は、更に前記送信機能の設定として、前記データ送信装置にログインしているユーザに対応づけられた宛先にのみ前記設定データの送信を許可することを設定できる
ことを特徴とする請求項１に記載のデータ送信装置。
【請求項５】
前記制御手段の制御に応じた情報を前記設定データを送信した前記外部端末に通知する通知手段を更に有する
ことを特徴とする請求項１に記載のデータ送信装置。
【請求項６】
前記送信機能で使用する宛先を含む設定データに基づくデータと、ユーザ識別情報と対応づけて保存する保存手段を有し、
前記制御手段は、前記外部端末から受信した前記設定データに含まれるユーザに関する情報に基づき、前記データ送信装置にログイン中のユーザと、前記外部端末のユーザが一致しないと判定した場合に、前記設定データに基づいて前記送信機能で使用する送信宛先を設定することなく、前記受信した設定データに基づくデータと前記外部端末のユーザに対応するユーザ識別情報を対応づけて前記保存手段に保存するよう制御する
ことを特徴とする請求項２に記載のデータ送信装置。
【請求項７】
前記送信機能を利用するために前記データ送信装置にユーザがログインさせた後に、前記ログイン中のユーザに関連するデータが前記保存手段にあるかどうかを判別する判別手段を更に備え、
前記制御手段は、前記ログイン中のユーザに関連するデータが前記保存手段にあると判別された場合に、当該ユーザに関連するデータに基づき前記送信機能で使用する送信宛先を設定するよう制御することを特徴とする請求項６に記載のデータ送信装置。
【請求項８】
前記送信機能の宛先はＥメールアドレスであり、前記送信手段は、Ｅメールアドレスが送信宛先に指定し、送信データを添付した電子メールを送信することを特徴する請求項１乃至７のいずれか１項に記載のデータ送信装置。
【請求項９】
読取手段を更に備え、前記送信手段は、前記読取手段によって原稿を読み取ることで得られた画像に基づくデータを前記送信宛先に送信することを特徴とする請求項１乃至８のいずれか１項に記載のデータ送信装置。
【請求項１０】
データを外部に送信する送信機能を有するデータ送信装置の制御方法であって、
前記送信機能の宛先として設定された送信宛先にデータを送信する送信工程と、
ユーザに関する情報と、前記送信機能で使用する宛先を含む設定データを外部端末から受信する受信工程と、
前記送信機能の利用時にユーザ認証を行うか否かを設定する設定工程と、
前記設定工程で前記送信機能の利用時にユーザ認証を行うことが設定されていることに少なくとも従って、前記受信工程において受信する前記送信機能で使用する宛先を含む設定データに基づいては、前記送信機能で使用する送信宛先を設定しないように制御する制御工程と、
を有することを特徴とする制御方法。
【発明の詳細な説明】
【技術分野】
【０００１】
本発明は、外部端末から受信したデータの送信を実行するデータ送信装置及び制御方法に関する。
【背景技術】
【０００２】
従来のデータ送信装置としては、外部のモバイル端末から読取送信ジョブを受信し、モバイル端末のユーザの認証情報と、データ送信装置のユーザ認証情報が一致していたら、読取送信ジョブを実行するように施したものがある（例えば、特許文献１参照。）。さらに、ユーザ認証情報が不一致の場合、読取送信ジョブを保存し、データ送信装置のユーザ認証情報が更新された時に、モバイル端末のユーザ認証情報と一致しているかを判定し、一致していたら、読取送信ジョブを実行するように施している。
【先行技術文献】
【特許文献】
【０００３】
【特許文献１】特開２０１６−１１５９７４号公報
【発明の概要】
【発明が解決しようとする課題】
【０００４】
ところで、データ送信装置においては、データ送信をする上でのセキュリティ確保の観点から、ユーザに応じて、データ送信の宛先を制限するようにデータ送信装置側で設定しておく場合がある。しかし、特許文献１のようなデータ送信の装置の場合、外部のモバイル端末を利用するユーザのユーザ情報とデータ送信装置が管理するユーザ情報が一致すると、モバイル端末から受信した送信設定で、そのままデータ送信を実行できてしまう。そのため、ユーザ認証によりデータ送信の利用を制限しているにもかかわらず、セキュリティの確保ができないという問題がある。本発明は上述の問題点の少なくとも１つを鑑みなされたものであり、データ送信のセキュリティを高めることを目的の１つとする。
【課題を解決するための手段】
【０００５】
本発明は、データを外部に送信する送信機能を有するデータ送信装置であって、前記送信機能の宛先として設定された送信宛先にデータを送信する送信手段と、前記送信機能で使用する宛先を含む設定データを外部端末から受信する受信手段と、前記送信機能の利用時にユーザ認証を行うか否かを設定する設定手段と、前記第１の設定手段によって前記送信機能の利用時にユーザ認証を行うことが設定されていることに少なくとも従って、前記受信手段で受信する前記送信機能で使用する宛先を含む設定データに基づいては、前記送信機能で使用する送信宛先を設定しないように制御する制御手段と、を有することを特徴とする。
【発明の効果】
【０００６】
データ送信装置において、ユーザ認証によりデータ送信処理に制限がかけられている場合は、外部端末から受信しデータの送信をすることを防止でき、データ送信のセキュリティを高めることができる。
【図面の簡単な説明】
【０００７】
【図１】データ送信システムのネットワーク構成を示すブロック図である。
【図２】ＭＦＰのハードウェア構成を示すブロック図である。
【図３】ＭＦＰの操作部に表示されるホーム画面の例である。
【図４Ａ】ユーザ情報を設定する際のモバイル端末上の画面の遷移を説明する図である。
【図４Ｂ】Ｅメール設定情報を送信する際のモバイル端末上の画面の遷移を説明する図である。
【図５Ａ】ログイン情報及びＥメール設定情報を受信したときのＭＦＰ上の画面の遷移を説明する図（１）である。
【図５Ｂ】ログイン情報及びＥメール設定情報を受信したときのＭＦＰ上の画面の遷移を説明する図（２）である。
【図５Ｃ】ログイン情報及びＥメール設定情報を受信したときのＭＦＰ上の画面の遷移を説明する図（３）である。
【図６】複数のユーザが認証承認を試みる場合の各モバイル端末とＭＦＰとの間の通信シーケンスである。
【図７Ａ】Ｅメール送信要求受信処理（実施形態１）のフローチャートである。
【図７Ｂ】Ｅメール送信要求受信処理（実施形態２）のフローチャートである。
【図７Ｃ】Ｅメール送信要求受信処理（実施形態３）のフローチャートである。
【図８】ＭＦＰが実行する認証送信のログイン処理のフローチャートである。
【図９】ＭＦＰの操作部に表示される送信機能設定画面の例である。
【発明を実施するための形態】
【０００８】
以下、本発明を実施するための形態について図面を用いて説明する。なお、以下の実施の形態は特許請求の範囲に係る発明を限定するものでなく、また実施の形態で説明されている特徴の組み合わせのすべてが発明の解決手段に必須のものとは限らない。
【０００９】
＜第１の実施形態＞
本発明の第１の実施形態について説明する。
図１は、本実施形態におけるデータ送信システムのネットワーク構成に関するブロック図である。
データ送信システムは、データ送信装置の一例である複合機（MultiFunction Peripheral：ＭＦＰ）１０１と、送信先の一例であるメールサーバ１０３と、認証先の一例である認証サーバ１０７と、を備えている。ネットワーク１００上には、ＭＦＰ１０１と、メールサーバ１０３と、アクセスポイント１０４と、ＰＣ１０９とが、互いに通信可能に接続されている。
モバイル端末１０２及び１０８は、例えばスマートフォンからなる、外部端末の一例である。モバイル端末１０２は、アクセスポイント１０４と無線１０５で接続され、ネットワーク１００を経由してメールサーバ１０３やＭＦＰ１０１と互いに通信可能に接続されている。ＭＦＰ１０１は、無線機能を備え、無線１０５によりアクセスポイント１０４を介してモバイル端末１０２と接続される他、直接、無線１０６によりモバイル端末１０８に接続される。
【００１０】
ＭＦＰ１０１は、画像処理機能を有し、スキャンした原稿の画像データを電子メール（Ｅメール）の添付ファイルとし、送信先のメールアドレスを送信宛先に指定して、メールサーバ１０３にＥメールを送信する。また、ＭＦＰ１０１は、ファイルサーバ（不図示）にも、ファイル送信用のＳＭＢ、ＦＴＰ、ＷｅｂＤＡＶなどの通信プロトコルを用いて画像データを送信する。
【００１１】
メールサーバ１０３は、ＳＭＴＰ（Simple Mail Transfer Protocol）プロトコルに対応したメールサーバである。メールサーバ１０３は、ＳＭＴＰプロトコルにより受信したＥメールをメールサーバ１０３のストレージ（不図示）に設けられたメールボックスに格納したり、ネットワーク１００上の外部のメールサーバ（不図示）に転送したりする。
【００１２】
認証サーバ１０７は、ネットワーク１００を介してＬＤＡＰ（Lightweight Directory Access Protocol）によりユーザやＰＣ１０９の情報を管理するためのサーバである。認証サーバ１０７には、ユーザ名とパスワードのアカウント情報の他に、ユーザ毎に会社名・部門・メールアドレス・電話番号・フォルダ情報などのユーザデータが記録されている。
ＭＦＰ１０１は、ＬＤＡＰにより認証サーバ１０７にアクセスし、アカウント情報を用いてログイン要求の認証を実行する。そして、ＭＦＰ１０１は、ログインしたユーザのメールアドレスやフォルダ情報を、自分のメールアドレスや自分のフォルダとして、認証サーバ１０７から取得する。
【００１３】
図２は、ＭＦＰ１０１のハードウェア構成を示すブロック図である。
ＣＰＵ（Central Processing Unit）１１１を含む制御部１１０は、ＭＦＰ１０１全体の動作を制御する。ＣＰＵ１１１は、ＲＯＭ（Read Only Memory）１１２又はストレージ１１４に記憶された制御プログラムを読み出して、読取制御、印刷制御、操作部制御、有線・無線のネットワーク通信制御など、各種の制御を行う。
ＲＯＭ１１２は、ＣＰＵ１１１で実行可能な制御プログラムを格納する。また、ＲＯＭ１１２は、ブートプログラムやフォントデータなども格納する。
ＲＡＭ（Random Access Memory）１１３は、ＣＰＵ１１１の主記憶メモリであり、ワークエリア、ＲＯＭ１１２及びストレージ１１４に格納された各種制御プログラムを展開するための一時記憶領域として用いられる。
ストレージ１１４は、画像データ、印刷データ、各種プログラム、各種設定情報（アドレス帳など）などを記憶する。また、本実施形態においては、ストレージ１１４は、電源ＯＦＦ／ＯＮで消去されない不揮発性のフラッシュメモリであることを想定しているが、ＳＳＤ、ＨＤＤ、ｅＭＭＣなどの補助記憶装置を用いてもよい。
【００１４】
本実施形態において、ＭＦＰ１０１は、１つのＣＰＵ１１１が１つのメモリ（ＲＡＭ１１３）を用いて後述するフローチャートに示す処理を実行するものとするが、他の様態であってもよい。例えば、複数のＣＰＵ、ＲＡＭ、ＲＯＭ、及びストレージを協働させて、後述するフローチャートに示す処理を実行することもできる。また、ＡＳＩＣやＦＰＧＡ等のハードウェア回路を用いて一部の処理を実行するようにしてもよい。
【００１５】
操作部Ｉ／Ｆ１１５は、操作部１１６と制御部１１０を接続する。操作部１１６は、ユーザに対して情報を通知したり、ユーザからの入力を検出したりする。
読取部Ｉ／Ｆ１１７は、読取部１１８と制御部１１０を接続する。読取部１１８は原稿上の画像を読み取って、その画像をバイナリーデータなどの画像データに変換する。読取部１１８によって生成された画像データは、外部装置に送信されたり、記録紙上に印刷されたりする。
【００１６】
印刷部Ｉ／Ｆ１１９は、印刷部１２０と制御部１１０を接続する。ＣＰＵ１１１は、ＲＡＭ１１３に記憶された画像データ（印刷対象の画像データ）を印刷部Ｉ／Ｆ１１９を介して印刷部１２０に転送する。印刷部１２０は、転送された画像データを給紙カセットから給送された記録紙上に印刷する。
【００１７】
通信部Ｉ／Ｆ１２３は、制御部１１０とネットワーク１００を接続する。通信部Ｉ／Ｆ１２３は、ネットワーク１００上の外部装置に画像データや装置内部の各種情報を送信したり、ネットワーク１００上の情報処理装置から印刷データやネットワーク１１０上の各種情報を受信したりする。ネットワークを介した送受信の方法としては、前述したＥメールを用いての送受信や、その他のプロトコル（例えば、ＦＴＰやＳＭＢ、ＷｅｂＤＡＶ等）を用いたファイル送信を行うこともできる。
【００１８】
無線通信部Ｉ／Ｆ１２１は、無線通信部１２２を制御するためのインターフェースである。無線通信部１／Ｆ１２１は、無線１０５、１０６により、外部の無線機器（ここでは、モバイル端末１０２、１０８、アクセスポイント１０４）と制御部１１０を接続する。
【００１９】
さらに、ＭＦＰ１０１は、ＷＥＢサーバ機能を備え、ＰＣ１０９からのＨＴＴＰプロトコルによるアクセスで、送信・受信ジョブ履歴や各種設定データをネットワーク１００に接続されるＰＣ１０９上で表示させることもできる。
【００２０】
図３は、ＭＦＰ１０１の操作部１１６に表示されるホーム画面３０５の例である。
操作部１１６は、操作画面を表示するタッチパネル３００と、データＬＥＤ３２０と、エラーＬＥＤ３２１からなる。
タッチパネル３００は、ユーザからの指示（タッチ、ドラッグ、フリックなど）を受け付ける入力手段と、ユーザへの画面を通知する手段として機能する。ユーザは、タッチパネル３００上に表示される画面の各画像（ボタン）を指やスタイラス等のオブジェクトで直接タッチすることにより、表示されたボタンに基づく機能の実行を指示する。本実施形態において、ボタンとは、表示された画像により示される区切られた領域を示す。ボタンへのタッチ（押下）を操作部Ｉ／Ｆ１１７が検出すると、ＭＦＰ１０１のＣＰＵ１１１は押下された画像に関するコントローラ制御を実行する。
【００２１】
図３のタッチパネル３００は、ＭＦＰ１０１の起動直後に表示されるホーム画面３０５を表示している。ホーム画面３０５には、ＭＦＰ１０１が実行する各機能のボタン（スキャン３０１、メニュー３０２、アドレス帳３０３、モバイルポータル３０４など）が表示される。
【００２２】
スキャン３０１は、Ｅメール送信、ＳＭＢ、ＦＴＰ、ＷｅｂＤＡＶによるＭＦＰ１０１からのファイル送信を実行するための送信設定画面に遷移するためのボタンである。
メニュー３０２は、ＭＦＰ１０１の設定メニュー画面に遷移するためのボタンである。
【００２３】
アドレス帳３０３は、ＭＦＰ１０１のアドレス帳画面（後述）を表示させるためボタンである。アドレス帳からＥメール送信等の送信宛先を指定すると、Ｅメール送信画面に遷移することができる。アドレス帳の宛先データは、送信種別（Ｅメール、ファイル、ファクスなど）、名称、宛先データ（メールアドレス、ホスト名、サーバ情報など）、アカウント情報（ユーザ名、パスワード）などから構成され、ストレージ１１４に保存される。また、Ｅメール送信画面においては、単一の宛先データだけではなく、設定済みの複数の宛先データを指定した同報送信を設定することもできる。
【００２４】
モバイルポータル３０４は、ＭＦＰ１０１とモバイル端末１０２、１０８とを接続するための各種設定情報をモバイルポータル画面（不図示）に表示するためのボタンである。モバイルポータル画面には、ＭＦＰ１０１とモバイル端末１０８を直接無線で接続するダイレクト接続の開始を指示するボタンが表示される。また、モバイルポータル画面には、アクセスポイント１０４を介してネットワーク１００経由で通信するための各種設定情報やＭＦＰ１０１とモバイル端末とが直接通信するための各種設定情報（ＳＳＩＤ／ＰＩＮコードなど）が表示される。
【００２５】
ストップボタン３１１は、ＭＦＰ１０１への各操作をキャンセルする指示をするためのボタンである。
ホームボタン３１０は、ＭＦＰ１０１のホーム画面３０５に遷移するためのボタンである。
ストップボタン３１１とホームボタン３１０は、操作部１１６に常時表示される。
【００２６】
データＬＥＤ３２０とエラーＬＥＤ３２１は、ＭＦＰ１０１の状態をユーザに通知するためのＬＥＤである。データＬＥＤ３２０は、送信ジョブや印刷ジョブの実行中に点灯する。一方、エラーＬＥＤ３２１は、ＭＦＰ１０１に何らかのエラー（ジャムや紙無しなど）が発生した際に点灯する。
【００２７】
図４Ａ及びＢは、Ｅメール設定アプリによりモバイル端末１０２に表示される画面の遷移を説明するための図である。Ｅメール設定アプリとは、Ｅメール設定情報をモバイル端末からＭＦＰ１０１に送信する機能（Ｅメール設定機能）を有するアプリケーションである。なお、Ｅメール設定情報とは、例えばＭＦＰ１０１がスキャンした画像などの送信データをＥメールで送信する際の、Ｅメールの宛先、件名、ファイル名、本文などの情報である。本実施形態においては、Ｅメール設定情報はモバイル端末１０２において設定される。
【００２８】
図４Ａは、送信設定アプリによりモバイル端末１０２上に表示される画面の例として、ユーザ情報を設定する画面を示している。なお、ユーザ情報は、モバイル端末１０２からＭＦＰ１０１にログインを行うために用いられるユーザ識別情報として機能するログイン情報となる。
図４Ａ（ａ）の「アプリの設定」４００の画面において、「ユーザ情報」４０１は、「アプリの設定」４００の画面から図４Ａ（ｂ）の「ユーザ情報の設定」４１０の画面に遷移するために押下するものである。
「宛先送信」４０２は、Ｅメール設定情報の送信を実行するために押下するものである。「宛先送信」４０２が押下されると、表示されていたオン・オフ（不図示）からオンのみが表示され、Ｅメール設定情報の送信が実行される。「宛先送信」が押下されたことは、「宛先送信」４０２の下部に表示される。図４Ａ（ａ）に示す例では、「宛先送信」４０２の欄には「オン」が表示されている。
【００２９】
図４Ａ（ａ）の「アプリの設定」４００の画面において「ユーザ情報」４０１が押下されると、モバイル端末１０２の画面は、図４Ａ（ｂ）の「ユーザ情報の設定」４１０に遷移する。
図４Ａ（ｂ）の「ユーザ情報の特定」４１０の画面において、「ユーザ名」４１２のテキストボックスには、ＭＦＰ１０１にログインするためのユーザ名が入力される。
「パスワード」４１３のテキストボックスには、ＭＦＰ１０１にログインするためのパスワードが入力される。
「ドメイン名・サーバ名」４１４のテキストボックスには、モバイル端末１０２からＭＦＰ１０１にログインする際、認証サーバ１０７にアクセスするためのドメイン名またはサーバ名が入力される。
【００３０】
また、ユーザ名を“guest”ユーザしたゲストユーザとしてログインする場合は、「ユーザはGuestユーザでログイン？」４１１のチェックボックスにチェックを入れる。「Guestユーザでログイン？」のチェックボックス４１１にチェックが入ると、「ユーザ名」４１２、「パスワード」４１３、「ドメイン名・サーバ名」４１４の欄に入力された内容は、すべて無効になる。
【００３１】
図４Ｂは、Ｅメール設定アプリを用いてＥメール設定情報の送信を実行するためのＥメール送信設定画面４３０と、ＭＦＰ１０１からの応答を受信した後のモバイル端末１０２上の画面の遷移を説明するための図である。
Ｅメール設定アプリが起動すると、モバイル端末１０２にはホーム画面４２０（図４Ｂ（ａ））が表示される。なお、Ｅメール設定アプリは、Ｅメール送信をする宛先を設定する機能（Ｅメール設定機能）の他に、印刷、スキャン、画像編集等をＭＦＰ１０１に実行させる機能も有する。
【００３２】
ホーム画面４２０には、ＭＦＰ１０１との無線接続状態（図４Ｂ（ａ）の例では、ダイレクト接続）が表示される。また、ホーム画面４２０には、印刷アプリのドキュメントと、スキャンアプリのスキャンと、画像を編集するアプリのキャプチャと、Ｅメール送信機能を実行する「宛先送信」４２１が表示される。
「宛先送信」４２１が押下されると、モバイル端末１０２の画面は、図４Ｂ（ｂ）に示すＥメール送信設定画面４３０の画面に遷移する。
【００３３】
図４Ｂ（ｂ）のＥメール送信設定画面４３０は、ＭＦＰ１０１に対してＥメール設定情報（送信するＥメールの宛先、件名、ファイル名、本文）をモバイル端末１０２において設定するための画面である。
「Ｔｏ宛先設定」４３１には、Ｅメール送信の宛先を、直接、Ｅメールアドレスをモバイル端末１０２のキーボード（不図示）で入力したり、モバイル端末１０２のアドレス帳（後述）中からＥメールアドレスを選択したりする。
「アドレス帳呼び出し」４３６は、アドレス帳の中からＥメールアドレスを選択する画面を表示するために押下される。「アドレス帳呼び出し４３６」が押下されると、モバイル端末１０２にはアドレス帳が表示され、宛先を指定するためのＥメールアドレスを選択可能にする。
【００３４】
「件名」４３２は、送信するＥメールの件名をモバイル端末１０２のキーボードから入力するための欄である。「ファイル名」４３３は、送信するＥメールのファイル名をモバイル端末１０２のキーボードから入力するための欄である。
「本文」４３４は、送信するＥメールの本文をモバイル端末１０２のキーボードから入力するための欄である。
【００３５】
図４Ｂ（ｂ）のＥメール送信設定画面４３０において、「送信」４３５が押下されると、モバイル端末１０２は、設定されたＥメール設定情報（宛先、件名、ファイル名、本文）をＥメール送信要求としてＭＦＰ１０１に送信する。モバイル端末１０２は、Ｅメール送信要求を送信した後、ＭＦＰ１０１からＥメール送信応答を受信する。Ｅメール送信応答を受信すると、モバイル端末１０２には、その内容に応じて、メッセージ４４０、４５０、４６０（図４Ｂ（４）、（５）、（６））のいずれかが表示される。
【００３６】
ＭＦＰ１０１からのＥメール送信応答としてＥメール送信成功（ＯＫ）を受信した場合、モバイル端末１０２には「“送信完了しました。操作パネルを確認してください。“というメッセージ４４０が表示される（図４Ｂ（ｃ））。
ＭＦＰ１０１からＥメール送信応答（ペンディング）を受信した場合、モバイル端末１０２には”送信完了しました。ログインして確認してください。“というメッセージ４６０が表示される（図４Ｂ（ｃ））。
ＭＦＰ１０１からＥメール送信応答（ＮＧ）を受信した場合、モバイル端末１０２には”送信できませんでした。送信設定を確認してください。“というメッセージ４５０が表示される（図４Ｂ（ｅ））。
その他にも、モバイル端末１０２には、ログインの失敗、最大宛先件数オーバ−など、ＭＦＰ１０１からの応答に対応するメッセージが表示される。
【００３７】
次に、図７を用いて、モバイル端末１０２からＥメール送信要求を受信した際の、ＭＦＰ１０１における処理（Ｅメール送信要求受信処理）を説明する。図７Ａは、実施形態１における、ＭＦＰ１０１において実行されるＥメール送信要求受信処理を示すフローチャートである。
ＭＦＰ１０１は、ネットワーク１００または無線１０５、１０６を介してモバイル端末１０２から送信されたＥメール送信要求を受信すると、Ｅメール送信要求受信処理を開始する。Ｅメール送信要求受信処理では、ＭＦＰ１０１は、以下のように、処理結果の内容をモバイル端末１０２に送信する。
なお、図７Ａのフローチャートに示される処理は、ＭＦＰ１０１のＣＰＵ１１１が、操作部１１６のタッチパネル３００と、読取部１１８と、通信部Ｉ／Ｆ１２３を制御し、ストレージ１１４などに記録されたデータを読み書きすることにより実行される。
【００３８】
モバイル端末１０２のＥメール送信設定画面４３０（図４Ｂ（ｂ））において「送信」４３５が押下されると、ステップＳ７０１において、ＭＦＰ１０１は、モバイル端末１０２からログイン情報を受信する。モバイル端末１０２から送信されるログイン情報には、ユーザ名、パスワード、サーバ名またはドメイン名などの情報が含まれる。
ＭＦＰ１０１は、ログイン情報に含まれるサーバ名またはドメイン名を用いて認証サーバ１０７にアクセスし、ログイン要求に含まれるユーザ名、パスワードを用いて、ＬＤＡＰ認証のためのログイン要求を認証サーバ１０７に送信する。
【００３９】
認証サーバ１０７は、ＭＦＰ１０１からログイン情報を受信すると、ログイン情報に含まれるユーザ名とパスワードと、認証サーバ１０７に登録されているユーザ名とパスワードとが、一致しているか否かを判定する。
両者のユーザ名とパスワードが一致している場合、認証サーバ１０７は、ＭＦＰ１０１に認証成功（ログインＯＫ）を送信する。両者のユーザ名とパスワードが一致していない場合、認証サーバ１０７は、ＭＦＰ１０１に認証失敗（ログインＮＧ）を送信する。
【００４０】
ステップＳ７０２において、ＭＦＰ１０１は、認証サーバ１０７から認証成功（ログインＯＫ）を受信したか否かを判別する。ＭＦＰ１０１は、ログインＯＫを受信したら、認証成功（ＹＥＳ）として、処理をステップＳ７０３に進める。一方、ＭＦＰ１０１は、認証失敗（ログインＮＧ）を受信したら、認証失敗（ＮＯ）として、処理をステップＳ７０４に進める。
【００４１】
ステップＳ７０２で認証成功の場合（Ｓ７０２：ＹＥＳ）、ステップＳ７０３において、ＭＦＰ１０１は、ログイン応答として、モバイル端末１０２にログインＯＫとセッションＩＤを送信する。セッションＩＤは、ユーザ名を識別するために生成された無作為な英数字からなる一意に決定される文字列であり、ＭＦＰ１０１にてユーザ名と関連付けて生成される。
ステップＳ７０３のログイン以降、ＭＦＰ１０１は、モバイル端末１０２からセッションＩＤを受信すると、セッションＩＤに関連付けられているユーザ名を特定して受信データを処理する事で、同じログイン処理（Ｓ７０１）を回避する。また、ＭＦＰ１０１は、モバイル端末１０２から受信したデータにセッションＩＤが含まれていない場合、ユーザ名不定の要求データとして処理する。
【００４２】
一方、ステップＳ７０２で認証失敗の場合（Ｓ７０２：ＮＯ）、ステップＳ７０４において、ＭＦＰ１０１は、モバイル端末１０２にログイン応答として認証失敗（ログインＮＧ）を送信する。
【００４３】
ステップＳ７０５において、ＭＦＰ１０１は、モバイル端末１０２から受信したログイン情報（ユーザ名、パスワード、サーバ名またはドメイン名）をストレージ１１４に保存する。
ステップＳ７０６において、ＭＦＰ１０１は、モバイル端末１０２からＥメール送信要求を受信する。そして、ＭＦＰ１０１は、受信したＥメール送信要求に含まれるＥメール設定情報（宛先、件名、ファイル名、本文）を、ステップＳ７０５において保存したログイン情報と関連付けてストレージ１１４に保存する。
【００４４】
ステップＳ７０７において、ＭＦＰ１０１は、「送信機能の認証設定の編集」の画面（図９）において、「モバイル端末からの送信設定情報の受信を」９０５が「許可する」に設定されているか否かを判別する。「モバイル端末からの送信設定情報の受信を」９０５が「許可する」に設定されている場合（Ｓ７０７：ＹＥＳ）、ＭＦＰ１０１は処理をステップＳ７０８に進める。「許可しない」に設定されている場合（Ｓ７０７：ＮＯ）、ＭＦＰ１０１は処理をステップＳ７０９に進める。
【００４５】
ここで、「送信機能の認証設定の編集」とは、認証されたユーザに対するＥメール送信機能（例えば、Ｅメール送信の宛先）を制限するためにＭＦＰ１０１において設定されるものである。Ｅメール送信機能を使用不可する場合は、「モバイル端末からの送信設定情報の受信を」９０５を「許可しない」に設定する。
なお、「送信機能の認証設定の編集」の画面において、Ｅメール送信機能は、後述するように、ユーザ毎に各種の制限を設定することができる。「送信機能の認証設定の編集」の画面において設定できる各種の制限については、図９において詳細に説明する。
【００４６】
ステップＳ７０７でＹＥＳの場合、ＭＦＰ１０１は、モバイル端末から送信されたＥメール設定情報を受信しないため、ユーザはモバイル端末を用いてＭＦＰ１０１のＥメール送信機能を利用することができない。そして、ステップＳ７０８において、ＭＦＰ１０１は、モバイル端末１０２にＥメール送信応答（ＮＧ）（図４Ｂ（ｅ）を参照）を送信する。
一方、ステップＳ７０７でＮＯの場合、ステップＳ７０９において、ＭＦＰ１０１は、受信したＥメール送信要求に含まれるＥメール設定情報を、タッチパネル３００に表示されるＥメール送信画面５０２０（図５において後述）に設定する。そして、ＭＦＰ１０１は、モバイル端末１０２にＥメール送信応答（ＯＫ）（図４Ｂ（ｄ）を参照）を送信する。
【００４７】
ステップＳ７１０において、ＭＦＰ１０１は、モバイル端末１０２から受信したＥメール設定情報がＥメール送信画面５０２０に設定されていることを、Ｅメール送信画面５０２０にポップアップ５０１０を表示することによりユーザに通知する。これら、ＭＦＰ１０１のタッチパネル３００に表示される画面については、図５において詳細に説明する。
【００４８】
次に、図９を用いて、ＭＦＰ１０１において認証してからＥメール送信機能の設定を行うための認証送信機能設定画面について説明する。認証送信機能（以下、認証送信）とは、ログイン情報を用いて認証サーバ１０７に対して認証を行い、認証が成功した時に、ＭＦＰ１０１の送信設定（Ｅメール、ファイルなど）や送信機能を有効にする機能である。図９は、ＰＣ１０９のＷｅｂブラウザを用いてＭＦＰ１０１のＷｅｂサーバにアクセスすることにより、ＭＦＰ１０１の操作部１１６に表示される送信機能設定画面９００の例である。
ここで、設定されたＥメールの送信機能は、ストレージ１１４に保存される。また、設定された送信機能は、Ｅメール送信機能の実行時に読み込まれてから、操作部１１６において変更することができる。なお、送信機能は、ユーザが設定可能にしてもよいし、ＭＦＰ１０１のデフォルト設定として保存されている設定を読み出して用いてもよい。
【００４９】
送信機能設定画面９００において、「基本設定」の欄の「ユーザ認証機能を有効にする」９０１は、送信機能の利用時に送信認証のログイン画面（図５Ｃ（ｃ））を表示して、ユーザ認証を行わせるための設定である。この設定にチェックを入れた場合、以下に説明する、「Ｅメール送信設定」、「モバイル端末とのアドレス帳連携」の設定をすることができる。
【００５０】
「Ｅメール送信設定」の欄の「Ｅメール送信」９０２は、各ログインユーザに対して、Ｅメール送信の宛先設定５０２１（図５Ａ（ｃ））をあらかじめ定めされた特定の宛先のみなどに制限するための設定である。これにより、ＭＦＰ１０１は、各ログインユーザが送信できるＥメールの宛先を制限することができる。
「Ｅメール送信」９０２において、「許可しない」に設定された場合、ユーザはログインをしたとしてもＥメール送信が禁止される。また、「許可する」に設定された場合、ログインユーザは、宛先を制限されることなく、Ｅメール送信を行うことができる。
【００５１】
「Ｅメール送信」９０２において、「自分の宛先のみ許可する」に設定された場合、Ｅメール送信ができる宛先は、ログインユーザ自身の宛先のみに制限される。なお、この場合、Ｅメール送信画面５０２０（図５Ａ（ｃ））において「自分への送信」５０２３のボタンのみが有効になる。これにより、ＭＦＰ１０１からのＥメール送信は、送信を行うユーザの宛先のみに制限することが可能となる。
「Ｅメール送信」９０２において、「モバイル端末からの宛先のみ許可する」が設定された場合、ＭＦＰ１０１からのＥメール送信は、モバイル端末１０２からＥメール設定情報として送信された宛先のみに制限することが可能となる。なお、この場合、Ｅメール送信画面５０２０は、モバイルポータル５０２５（図５Ｃ（ａ））のみが有効になる。
【００５２】
「認証方法」９０３は、Ｅメール送信時のＳＭＴＰ認証で用いられるユーザ名とパスワードに関する設定である。設定項目としては、「送信操作開始時（または、モバイル端末）のユーザ名を引き継いで認証画面を表示する」、「空の認証画面を表示する」、「機器固有の認証情報を使用して認証画面を表示しない」、の３つの中から選択できる。
「認証ユーザの宛先を送信元に指定する」９０４は、認証サーバ１０７からログイン時に取得したログインユーザのメールアドレスを指定するか否かを指定するチェックボックスである。
【００５３】
「モバイル端末とのアドレス帳連携設定」の欄の「モバイル端末からの送信設定情報の受信を」９０５は、モバイル端末からＥメール設定情報の受信を許可するか、許可しないかを設定する。「許可する」に設定された場合、ＭＦＰ１０１は、モバイル端末１０２から送信されたＥメール設定情報を受信するが、「許可しない」に設定された場合は、Ｅメール設定情報を受信しない。したがって、「許可しない」に設定された場合、ユーザはモバイル端末１０２を介してＥメール送信をすることはできない。
【００５４】
「モバイル端末との認証方法」９０６は、モバイル端末１０２を認証するときの認証情報に関する設定である。
「リモートＵＩアクセス暗証番号（ＲＡＰ）」に設定された場合、リモートＵＩのアクセスで用いる暗証番号を用いて、モバイル端末から受信したＥメール設定情報によりログインを実行する。なお、ＲＡＰを用いる場合、ユーザ名、パスワードではなく、７桁の数字（ＰＩＮ）による認証のため、認証送信ログイン後にＥメール送信機能が可能となる。
「認証サーバ」に設定された場合、モバイル端末から送信されたログイン情報を「認証サーバの指定」９０７（後述）において設定された認証サーバが認証する。
「ＲＡＰ＋認証サーバ」に設定された場合、モバイル端末から受信したログイン情報により認証をした後、ＲＡＰも用いて、２段階で認証する。
「ドメインサーバ」に設定された場合、モバイル端末から受信したドメイン名からドメインサーバをＤＮＳ（Domain Name System）検索して、見つかったドメインサーバに対してモバイル端末からのログイン情報を用いて認証する。
【００５５】
「モバイル端末との認証方法」９０６の「認証サーバの指定」９０７は、ＭＦＰ１０１の内部に設定される認証サーバ（ここでは、「認証サーバ１」から「認証サーバ３」９５０）を指定するメニューである。なお、「モバイル端末指定サーバ」９５１が指定された場合、モバイル端末の「ユーザ情報の設定」において設定された「ドメイン名・サーバ名」４１４（図４Ａ（ｂ））から認証サーバ１０７を指定する。
【００５６】
「送信設定情報受信時のユーザでログイン」９０８は、モバイル端末からログインを実行した時、認証送信のログイン処理を省略するための設定である。「許可する」に設定された場合、モバイル端末からデータを送信した後、認証送信のログイン画面５２１０（図５Ｃ（ｃ））を表示することなく、Ｅメール送信画面５０２０（図５Ｃ（ｄ））に遷移し、ポップアップ５０１０を表示する。
【００５７】
「自分の宛先のみ許可時、送信設定情報の受信を」９０９は、「Ｅメール送信」９０２が「自分の宛先のみ許可する」に設定されている時、モバイル端末からのデータのＥメール送信機能を許可するための設定である。
「モバイル端末のＦｒｏｍを送信元に指定する」９１０のチェックボックスは、モバイル端末のメール設定またはアプリの設定でＦｒｏｍを送信元に設定するための設定である。「モバイル端末のＦｒｏｍを送信元に指定する」９１０にチェックが入れられると、モバイル端末からＦｒｏｍの情報がＥメール設定情報に追加される。
【００５８】
次に、図５を用いて、モバイル端末１０２からＥメール設定情報を受信したときに、ＭＦＰ１０１のタッチパネル３００に表示される画面の遷移について説明する。
図５Ａは、ＭＦＰ１０１にいずれのユーザもログインしていない状態で、ユーザａａａによりモバイル端末１０２からログイン情報とＥメール設定情報を受信した時の、ＭＦＰ１０１の操作部１１６上の画面の遷移例である（Ｓ５１１）。なお、ログイン情報は、ユーザ名（ここでは、ａａａ）、パスワード（同ｐｗｄ１）、ドメイン名またはサーバ名（同ａｂｃ．＠ｃｏ．ｊｐ）から構成される。また、Ｅメール設定情報は、宛先（同ａａａ＠ａｂｃ．ｃｏ．ｊｐ）、件名（同「資料を送ります」）、ファイル名（同資料）、本文（同「先日の打ち合わせの資料です。」）から構成される。
【００５９】
認証サーバ１０７による認証に成功し、Ｅメール設定情報がＥメール送信画面５０２０に設定された場合、画面は、ホーム画面３０５（図５Ａ（ａ））からＥメール送信画面５０２０（図５Ａ（ｂ））に遷移し、ポップアップ５０１０を表示する。なお、この際は、認証送信のログイン画面５２１０（図５Ｃ（ｃ））は表示されない（Ｓ５１２）。
そして、ＭＦＰ１０１は、モバイル端末１０２から受信したログイン情報とＥメール設定情報をストレージ１１４に保存する。さらに、ＭＦＰ１０１は、「自分への送信」５０２３に設定するログインユーザのメールアドレスの情報とファイル送信時のフォルダ情報を認証サーバ１０７から取得し、ストレージ１１４に保存する。さらに、ＭＦＰ１０１は、モバイル端末１０２に、同じユーザによる認証処理を回避するためのセッションＩＤを生成して送信する。
なお、Ｅメール設定情報が設定できなかった場合、ＭＦＰ１０１は、Ｅメール送信応答ＮＧを送信するだけで（図４Ｂ（ｅ）を参照）、Ｅメール送信画面５０２０（図５Ａ（ｂ））への遷移はしない。
【００６０】
ＭＦＰ１０１は、Ｅメール送信画面５０２０（図５Ａ（ｂ））においてポップアップ５０１０の「ＯＫ」５０１１が押下されると、Ｅメール送信を実行するためのＥメール送信画面５０２０（図５Ａ（ｃ））を表示する（Ｓ５１３）。
また、Ｅメール送信画面５０２０（図５Ａ（ｃ））でモバイル端末１０２より同じセッションＩＤでＥメール設定情報（宛先、件名、ファイル名、本文）を受信すると、再度ポップアップ５０１０を表示する（Ｓ５１４）。ここで、Ｅメール設定情報の宛先は追加で、件名／本文とファイル名は上書きで、Ｅメール送信画面５０２０に設定され、ストレージ１１４にも保存される。
【００６１】
Ｅメール送信画面５０２０においては、宛先設定５０２１を行う画面（図５Ａ（ｃ））と、送信設定５０３０を行う画面（図５Ａ（ｄ））とが、切り替えて表示される（Ｓ５１５及びＳ５１６）。ここで、宛先設定５０２１を行う画面は、Ｅメール送信の送信先を指定するための画面である。また、送信設定５０３０を行う画面は、原稿サイズやファイルフォーマット（ＰＤＦ／ＴＩＦＦ／ＪＰＥＧ）などを指定するための画面である。
【００６２】
Ｅメール送信画面５０２０において「ログアウト」５０２８が押下された場合、ホーム画面３０５（図５Ａ（ａ））に戻る。
Ｅメール送信画面５０２０において「白黒スタート」５０２６または「カラースタート」５０２７が押下された場合、Ｅメール送信を実行するため、読み込み中／送信中画面５０９１（図５Ａ（ｅ））に遷移する（Ｓ５１７）。認証送信でログイン中の場合、「ログイン中のユーザ」５０２９に“ユーザ名
【００６３】
ドメイン名”が表示される。また、「白黒スタート」５０２６または「カラースタート」５０２７が押下されると、ＭＦＰ１０１は、読取部１１８を制御し、紙などの原稿をスキャンし画像データを生成する。読み取りが完了すると、前述の処理により設定された宛先を送信宛先に指定し、当該画像データに基づくデータ（ＰＤＦ／ＴＩＦＦ／ＪＰＥＧなどのデータ）を添付したＥメールを送信する。
【００６４】
Ｅメール送信画面５０２０（図５Ａ（ｃ））において宛先設定５０２１の「自分への送信」５０２３が押下された場合、認証サーバ１０７から取得したログインユーザのメールアドレスが宛先５０２２にＴｏ宛先として設定される。「アドレス帳」５０２４が押下された場合、アドレス帳画面５０４０（図５Ｂ（ａ））に遷移する（Ｓ５２１）。「宛先確認」５０２５が押下された場合、宛先詳細／編集画面５０８０（図５Ｂ（ｃ））に遷移する（Ｓ５２３）。なお、ここで設定された宛先情報は、ストレージ１１４に保存されたＥメール設定情報に追加して保存される。
【００６５】
Ｅメール送信画面５０２０（図５Ａ（ｄ））における送信設定５０３０では、ＭＦＰ１０１の読取部１１６で読み込む原稿サイズ、原稿の向き、濃度などの読み取り設定と、ファイル名、件名／本文、返信先などのＥメールの送信設定が行われる。「ファイル名」５０３１が押下された場合、ファイル名画面５０７０（図５Ｂ（ｄ））に遷移する（Ｓ５２４）。「件名／本文」５０３２が押下された場合、件名／本文画面５０６０（図５Ｂ（ｅ））に遷移する（Ｓ５２５）。なお、ここで設定されたファイル名、件名／本文は、ストレージ１１４に保存されたＥメール設定情報に上書きして保存される。
【００６６】
読み込み中／送信中画面５０９０（図５Ａ（ｅ））は、Ｅメール送信画面５０２０において「白黒スタート」５０２６または「カラースタート」５０２７が押下されたときに表示される。読み込み中／送信中５０９０の画面では、Ｅメール送信が実行中であることを示す「読み込み中／送信中です」５０９１というメッセージが表示される。
ＭＦＰ１０１は、読取部１１６に載置された原稿を読み込み、読み込んだ原稿の画像データを送信するＥメールの添付ファイルに変換し、Ｅメール送信を実行する。「宛先数」５０９２には、Ｅメールの送信宛先数と送信ページ数が表示される。「送信開始」５０９３が押下されると、Ｅメール送信を実行し、Ｅメール送信画面５０２０に戻る（Ｓ５１８）。
【００６７】
図５Ｂは、宛先設定５０２１（図５Ａ（ｃ））と送信設定５０３０（図５Ａ（ｄ））から遷移する各画面を示す。
Ｔｏ／Ｃｃ／Ｂｃｃ画面５０４０（図５Ｂ（ａ））は、アドレス帳から設定する送信宛先のメール送信属性（Ｔｏ／Ｃｃ／Ｂｃｃ）を指定する画面である。「Ｔｏ」５０４１を指定した場合はＴｏ宛先として、「Ｃｃ」５０４２を指定した場合はＣｃ宛先として、「Ｂｃｃ」５０４３を指定した場合はＢｃｃ宛先として、それぞれ、宛先のメール送信属性が設定される。
【００６８】
メール属性情報が設定されると、アドレス帳画面５０５０（図５Ｂ（ｂ））に遷移する（Ｓ５２２）。アドレス帳に設定されているメールアドレスが選択されて押下されると、押下されたメールアドレスには「チェック」５０５１が表示される。選択されていないメールアドレスには、チェックされていないことを明示するため、「非チェック」５０５２が表示される（なお、チェック表示無としてもよい）。
「確定」５０５４が押下されると、チェックされた宛先がＥメール送信画面５０２０（図５Ａ（ｃ））の宛先５０２２に設定される。なお、「確定」５０５４は、ファイル名画面５０７（図５Ｂ（ｄ））や、件名／本文画面５０６０（図５Ｂ（ｅ））にも表示される。それぞれの画面において編集したデータを設定して「確定」５０５４が押下されると、Ｅメール送信画面５０２０に戻る。
【００６９】
宛先詳細／編集画面５０８０（図５Ｂ（ｃ））には、Ｅメール送信画面５０２０（図５Ａ（ｃ））において設定されている宛先情報が表示される。「チェック」５０８１で指定した宛先を宛先情報から外す場合は、「宛先から解除」５０８２を押下する。宛先情報を編集する場合、「宛先編集」５０８３を押下することで、ファイル名画面５０７０（図５Ｂ（ｄ））に表示されるキーボードにより、メールアドレスの宛先編集が可能になる。「詳細情報」５０８４が押下されると、アドレス帳に設定されている名前とメールアドレスの情報が表示される。「Ｔｏ／Ｃｃ／Ｂｃｃ」５０８５が押下されると、Ｔｏ／Ｃｃ／Ｂｃｃ画面５０４０（図５Ｂ（ａ））が表示され、メール送信属性Ｔｏ／Ｃｃ／Ｂｃｃの指定を変更することができる。
【００７０】
ファイル名画面５０７０（図５Ｂ（ｄ））には、「かな漢」５０７１で日本語入力、「ａ」５０７２でアルファベット、「１／＃」５０７３で数字と記号、のように、入力文字の切り替えが可能なキーボードが表示される。これにより、Ｅメール送信画面５０２０（図５Ａ（ｃ））の送信設定５０２１で設定されているファイル名を編集することができる。
【００７１】
件名／本文画面５０６０（図５Ｂ（ｅ））は、送信を行うＥメールの件名と、本文に設定する文字列を入力するための画面である。「件名」５０６１または「本文」５０６２が押下されると、ファイル名画面５０７０（図５Ｂ（ｄ））にキーボードが表示され、「件名」５０６１や「本文」５０６２の文字列を編集することができる。
【００７２】
以上のとおり、第１の実施形態においては、モバイル端末からのＥメール設定情報の受信を許可しないように設定されている場合、モバイル端末には常にＥメール送信応答としてＥメール送信ＮＧがＭＦＰから送信される。これにより、ＭＦＰの外部のモバイル端末からのログインがＯＫとなった場合であっても、Ｅメールが送信されることを制限することできる。
＜第２の実施形態＞
次に、第２の実施形態について説明する。第２の実施形態は、あるユーザがすでにＭＦＰ１０１にログイン認証済みであるときに、他のユーザがモバイル端末１０２からログイン要求を行う場合である。図６は、ユーザａａａがモバイル端末１０２からログイン要求を行い、Ｅメール送信を実行している間に、ユーザｂｂｂがモバイル端末１０８からログイン要求を行ったときの、各モバイル端末１０２及び１０８とＭＦ１０１Ｐとの間の通信シーケンスの例である。
【００７３】
Ｓ６０１において、ユーザａａａがモバイル端末１０２からログイン情報（ユーザ名：ａａａ、パスワード：ｐｗｄ１、認証サーバ１０７）を用いてＭＦＰ１０１にログインを要求する（ログイン要求）。この時、ＭＦＰ１０１には、いずれのユーザもログイン認証されていない状態（Ｓ６３０）である。
Ｓ６０２において、ＭＦＰ１０１は、モバイル端末１０２から受信したユーザａａａのログイン情報（ａａａ、ｐｗｄ１）を認証サーバ１０７に送信する（ログイン要求）。
【００７４】
Ｓ６０３において、認証サーバ１０７は、ユーザａａａの認証が成功したことを、ログイン応答（ＯＫ）の送信によりＭＦＰ１０１に通知する（ログイン応答）。
Ｓ６０４において、ＭＦＰ１０１は、ログインを要求したユーザａａａのメールアドレスやフォルダ情報を認証サーバ１０７に対して要求する（自分の宛先データ取得要求）。
【００７５】
Ｓ６０５において、ＭＦＰ１０１は、認証サーバ１０７からユーザａａａのメールアドレス（ａａａ＠ａｂｃ．ｃｏ．ｊｐ）およびフォルダ情報（“￥￥サーバ名￥フォルダ名”のような文字列）を受信する（自分の宛先データ応答）。
Ｓ６０６において、ＭＦＰ１０１は、ログイン応答（ＯＫ）とユーザａａａのセッションＩＤ（ｓｉｄ１）を、モバイル端末１０２に送信する（ログイン応答）。
【００７６】
Ｓ６０７において、ユーザａａａはモバイル端末１０２からセッションＩＤ（ｓｉｄ１）とＥメール設定情報（Ｅメールの宛先、件名、ファイル名、本文）をＭＦＰ１０１に送信する（Ｅメール送信要求）。
Ｅメール送信要求を受けると、ＭＦＰ１０１は、ユーザａａａに関連付けられているユーザ情報を受信したセッションＩＤ（ｓｉｄ１）から取得し、ユーザａａａでのＥメール送信開始の状態（Ｓ６３１）にする。また、ＭＦＰ１０１は、ユーザａａａでログイン済みの状態（Ｓ６３２）にする。さらに、ＭＦＰ１０１は、Ｅメール送信画面５０１０においてポップアップ５０１１を表示し（図５Ａ（ｂ）を参照）、モバイル端末１０２のユーザａａａにＥメール送信設定を受信したことを通知する（Ｓ６３３）。
【００７７】
Ｓ６０８において、ＭＦＰ１０１は、モバイル端末１０２にデータのＥメール送信要求（Ｓ６０７）で受信したＥメール設定情報が正常にＭＦＰ１０１に設定されたことを、Ｅメール送信応答（ＯＫ）で送信する（Ｅメール送信応答）。
モバイル端末１０２は、Ｅメール送信応答（ＯＫ）を受信すると、“送信完了しました。操作パネルを確認してください。”というメッセージ４４０を表示する（図４Ｂ（ｄ）を参照）。
【００７８】
Ｓ６０９において、ユーザｂｂｂが別のモバイル端末１０８からログイン情報（ユーザ名：ｂｂｂ、パスワード：ｐｗｄ２）を用いてＭＦＰ１０１にログインを要求する（ログイン要求）。この時、ＭＦＰ１０１では、ユーザａａａがＥメール送信機能を実行中である。
Ｓ６１０において、ＭＦＰ１０１は、モバイル端末１０８から受信したユーザｂｂｂのログイン情報（ｂｂｂ、ｐｗｄ２）を認証サーバ１０７に送信して、ユーザｂｂｂの認証を試みる（ログイン要求）。
【００７９】
Ｓ６１１において、ＭＦＰ１０１は、認証サーバ１０７でログイン情報（ｂｂｂ、ｐｗｄ２）からユーザｂｂｂの認証が成功したことを受信する（ログイン応答）。ここで、ユーザｂｂｂの自分の宛先データ取得に関する処理は、Ｓ６０４とＳ６０５と同様であるため、説明を省略する。
Ｓ６１２において、ＭＦＰ１０１は、ログイン応答（ＯＫ）とユーザｂｂｂのセッションＩＤ（ｓｉｄ２）を、モバイル端末１０８に送信する（ログイン応答）。
【００８０】
Ｓ６１３において、ユーザｂｂｂは、モバイル端末１０８からセッションＩＤ（ｓｉｄ２）を含めたＥメール設定情報（宛先、件名、ファイル名、本文）を送信する（Ｅメール送信要求）。
ＭＦＰ１０１は、受信したセッションＩＤ（ｓｉｄ２）に関連付けられているユーザ名（ｂｂｂ）を取得する。このとき、ＭＦＰ１０１ではユーザａａａがＥメール送信機能を実行中であるため、ＭＦＰ１０１は、ユーザｂｂｂのＥメール設定情報を設定することなく、ストレージ１１４に保存する（Ｓ６３４）。
【００８１】
Ｓ６１４において、ＭＦＰ１０１は、ユーザｂｂｂからのＥメール送信要求（Ｓ６１３）は受信済みだが、Ｅメール送信設定には未だ設定されていないことを、Ｅメール送信応答（ペンディング）としてモバイル端末１０８に送信する（Ｅメール送信応答）。
モバイル端末１０８は、Ｅメール送信応答（ペンディング）を受信すると、“送信完了しました。ログインして確認してください。”というメッセージ４６０を表示する（図４Ｂ（ｃ）を参照）。
【００８２】
Ｓ６１５において、ユーザａａａが、モバイル端末１０２からセッションＩＤ（ｓｉｄ１）を含めた追加のＥメール設定情報（宛先、件名、ファイル名、本文）を送信する（追加データのＥメール送信要求）。
Ｓ６１６において、ＭＦＰ１０１は、セッションＩＤ（ｓｉｄ１）に関連付けられたユーザａａａの追加データのＥメール送信機能が成功したことをモバイル端末１０２にＥメール送信応答（ＯＫ）として送信する（Ｅメール送信応答）。
モバイル端末１０２は、Ｅメール送信応答（ＯＫ）を受信すると、“送信完了しました。操作パネルを確認してください。”というメッセージ４４０を表示する（図４Ｂ（ｄ）を参照）。
【００８３】
ＭＦＰ１０１は、Ｅメール送信応答（ＯＫ）（Ｓ６１６）を送信すると、Ｅメール設定情報があることをＥメール送信画面５０２０にポップアップ５０１０を表示する（図５Ａ（ｂ）を参照）（Ｓ６３５）。
その後、ユーザａａａがＥメール送信を開始すると（Ｓ６３６）、ＭＦＰ１０１はユーザａａａによるＥメール送信機能を実行する（Ｓ６３７）。
Ｅメール送信の終了後、ユーザａａａがＥメール送信５０２０の画面で「ログアウト」５０２８を押下すると、ＭＦＰ１０１はユーザａａａによる認証送信のログアウトを実行する（Ｓ６３８）。
【００８４】
次に、ユーザｂｂｂが、認証送信のログイン画面５２１０（図５Ｃ（ｃ）を参照）でユーザ情報（ｂｂｂ，ｐｗｄ２）とサーバ名（認証サーバ１０７）を入力し、「ログイン」５２１４を押下して、ログイン要求をする（Ｓ６３９）。
【００８５】
Ｓ６１７において、ＭＦＰ１０１は、認証サーバ１０７に認証送信のログイン画面５２１０において入力されたユーザｂｂｂのログイン情報（ｂｂｂ、ｐｗｄ２）を認証サーバ１０７に送信して、ユーザｂｂｂのログインを実行する（ログイン要求）。
Ｓ６１８において、認証サーバ１０７は、ログイン応答（ＯＫ）として、ログイン情報のユーザ名ｂｂｂとパスワードｐｗｄ２により正常にログインできたことをＭＦＰ１０１に送信する（ログイン応答）。
【００８６】
ＭＦＰ１０１は、ユーザｂｂｂによる認証送信のログインが成功すると、ユーザ名ｂｂｂから送信されたＥメール設定情報（宛先、件名、ファイル名、本文）が、ストレージ１１４に保存されているかを確認する（Ｓ６４０）。
次に、ＭＦＰ１０１は、Ｅメール送信要求（Ｓ６１３）においてユーザｂｂｂから送信されたＥメール設定情報をＥメール送信５０２０の画面に設定する（Ｓ６４１）。
次に、ＭＦＰ１０１は、Ｅメール送信画面５０２０にポップアップ５０１０を表示する（図５Ｃ（ｄ）を参照）。ユーザｂｂｂが「ＯＫ」５０１１を押下すると、ＭＦＰ１０１はポップアップ５０１０を閉じる（Ｓ６４２）。
【００８７】
Ｓ６１９において、ユーザｂｂｂは、モバイル端末１０８から、追加のＥメール設定情報（宛先、本文、件名、ファイル名）とセッションＩＤ（ｓｉｄ２）をＭＦＰ１０１に送信する（追加データのＥメール送信要求）。
ＭＦＰ１０１は、Ｓ６１９で送信されたセッションＩＤ（ｓｉｄ２）を解析し、ｓｉｄ２に関連付けられたユーザ（ｂｂｂ）を特定し、Ｅメール送信要求中のユーザｂｂｂと同じであることを確認する。
【００８８】
Ｓ６２０において、ＭＦＰ１０１は、追加で送信されたＥメール設定情報が正常に設定されたことをＥメール送信応答（ＯＫ）としてモバイル端末１０８に送信する（Ｅメール送信応答）。
モバイル端末１０８は、Ｅメール送信応答（ＯＫ）を受信すると、“送信完了しました。操作パネルを確認してください”というメッセージ４４０を表示する（図４Ｂ（ｄ）を参照）。
【００８９】
ＭＦＰ１０１は、Ｅメール送信画面５０２０にポップアップ５０１０を表示することにより、追加のＥメール設定情報が設定されたことをユーザｂｂｂに通知する（Ｓ６４３）。
ユーザｂｂｂがＥメール送信を実行した後、認証送信のログアウトを行うと（Ｓ６４４）、ＭＦＰ１０１はユーザｂｂｂによるＥメール送信機能を終了する（Ｓ６４５）。
【００９０】
以上のとおり、図６のシーケンスでは、いずれのユーザもログイン認証されていない状態でモバイル端末１０２からＥメール送信要求を受信した場合、ＭＦＰ１０１は、ログイン要求時に入力されたＥメール設定情報をそのまま設定する。
これにより、認証送信のログイン画面５２１０における操作を省略して、モバイル端末からのＥメール設定情報の送信により、ユーザは、Ｅメール送信画面５０１０から直ぐにＥメール送信を実行することができる。
【００９１】
一方、ＭＦＰ１０１は、他のユーザがＥメール送信機能を実行中に送信されたＥメール設定情報は、そのままは設定せずに、ストレージ１１４に保存する。他のユーザがＥメール送信を終了した後、ＭＦＰ１０１は、認証送信のログイン画面５２１０を表示する。そして、Ｅメール設定情報を送信したユーザが認証送信のログイン画面５２１０でログインしたら、保存されているＥメール設定情報を設定する。
したがって、他のユーザがＥメール送信機能を実行している間も、ユーザはモバイル端末からＥメール送信の準備をすることができる。さらに、認証送信のログイン画面５２１０からログインするだけで、保存されているＥメール設定情報が設定されるため、ユーザは直ぐにＥメール送信を実行することができる。
【００９２】
図７Ｂは、第２の実施形態における、モバイル端末からＥメール送信要求を受信した際にＭＦＰ１０１において実行されるデータ受信処理（Ｅメール送信要求受信処理）を示すフローチャートである。
【００９３】
ステップＳ７２１からＳ７２６は、図７ＡのステップＳ７０１からＳ７０６と同じため、説明を省略する。
【００９４】
ステップＳ７３１において、ＭＦＰ１０１は、「モバイル端末からの送信設定情報の受信を」９０５が「許可する」に設定されているか否かを判別する。「許可する」に設定されている場合（ＹＥＳ）、ステップＳ７３２に遷移し、「許可しない」設定されている場合（ＮＯ）、ステップＳ７３５に遷移する。
【００９５】
ステップＳ７３１で「モバイル端末からの送信設定情報の受信を」９０５が「許可する」に設定されていると判別した場合（ＹＥＳ）、ステップＳ７３２において、ＭＦＰ１０１は、他のユーザがログイン済みであるか否かを判別する。他のユーザがログインしている場合（ＹＥＳ）、ステップＳ７３７に遷移する。一方、いずれのユーザもログインしていない場合（ＮＯ）、ステップＳ７３３に遷移する。
【００９６】
いずれのユーザもログインしていない場合（Ｓ７３２：ＮＯ）、ステップＳ７３３において、ＭＦＰ１０１は、モバイル端末から受信したログイン情報に基づいて認証送信にログイン済みの状態に設定する。
【００９７】
ステップＳ７３４において、ＭＦＰ１０１は、Ｅメール設定情報がＥメール送信画面５０２０に設定されたことをＥメール送信応答（ＯＫ）によりモバイル端末に通知する。
ステップＳ７３６において、ＭＦＰ１０１は、モバイル端末からのＥメール設定情報があることをＥメール送信画面５０２０にポップアップ５０１０として表示してユーザに通知する。
【００９８】
一方、ステップＳ７３１で「モバイル端末からの送信設定情報の受信を」９０５が「許可しない」に設定されていると判別された場合（ＮＯ）、ステップＳ７３５に遷移する。この場合、ＭＦＰ１０１は、モバイル端末から送信されたＥメール設定情報を受信しないため、ユーザはモバイル端末を用いてＭＦＰ１０１のＥメール送信機能を利用することができない。そして、ステップＳ７３５において、ＭＦＰ１０１は、モバイル端末にＥメール設定情報が設定されなかったことをＥメール送信応答（ＮＧ）としてモバイル端末に通知する。
【００９９】
ステップＳ７３２で他のユーザがログインしていると判別された場合、ステップＳ７３７に遷移する。そして、ステップＳ７３７において、ＭＦＰ１０１は、認証送信のログイン画面５２１０において入力されたログイン情報を取得する。
【０１００】
ステップＳ７３８において、ＭＦＰ１０１は、Ｓ７３７で取得したログイン情報とモバイル端末のログイン情報を比較し、一致しているか否かを判別する。
一致している場合（ＹＥＳ）、ステップＳ７３４に遷移し、ＭＦＰ１０１は上記の処理を行う。一致していない場合（ＮＯ）、ステップＳ７３９に遷移する。
【０１０１】
Ｓ７３７で取得したログイン情報とモバイルログインのログイン情報が一致していない場合（ＮＯ）、ステップＳ７３９において、ＭＦＰ１０１は、モバイル端末から受信したログイン情報とＥメール設定情報をストレージ１１４に保存する。なお、追加データが送信された場合、前回受信したＥメール設定情報に対して、宛先は追加し、本文、件名、ファイル名は上書きして、ストレージ１１４に保存する。
【０１０２】
ステップＳ７４０において、ＭＦＰ１０１は、Ｅメール設定情報がストレージ１１４に保存され、ペンディング状態であることをＥメール送信応答（ペンディング）としてモバイル端末に通知する。
【０１０３】
図８は、第２の実施形態において、認証送信のログイン画面５２１０からログイン情報が入力された場合、ＭＦＰ１０１が実行する認証送信のログイン処理に関するフローチャートである。
【０１０４】
ステップＳ８０１において、ＭＦＰ１０１は、認証送信のログイン画面５２１０（図５Ｃ（ｃ））を表示し、ログイン情報の入力を受け付ける。
ステップＳ８０２において、ＭＦＰ１０１は、認証送信のログイン画面５２１０において入力された「サーバ名」５２１１（ドメイン名でも可）、「ユーザ名」５２１１、パスワード「５２１３」をログイン情報として保存する。
【０１０５】
ステップＳ８０３において、ＭＦＰ１０１は、認証送信のログイン画面５２１０において「ログイン」５２１４が押下されたかを判定する。
押下された場合（ＹＥＳ）、ステップＳ８０４に遷移し、押下されていない場合（ＮＯ）、ステップＳ８０１に戻る。
【０１０６】
「ログイン」５２１４が押下されたら（Ｓ８０３：ＹＥＳ）、ステップＳ８０４において、ＭＦＰ１０１は、入力されたログイン情報（ユーザ名、パスワード、サーバ名またはドメイン名）を認証サーバ１０７に送信する。そして、認証サーバ１０７からのログイン応答を受信する。
ステップＳ８０５において、ＭＦＰ１０１は、Ｓ８０４で認証サーバ１０７から受信したログイン応答を判定する。
ログインに成功した場合（Ｓ８０５：ＹＥＳ）、ステップＳ８０７に遷移する。失敗した場合（Ｓ８０５：ＮＯ）、ステップＳ８０６に遷移する。
【０１０７】
ステップＳ８０６において、ＭＦＰ１０１は、“ログインできませんでした。“という画面（不図示）をポップアップで表示する。閉じるボタンが押下されると、ステップＳ８０１に戻る。
【０１０８】
ステップＳ８０５においてログインに成功すると、ステップＳ８０７において、ＭＦＰ１０１は、ストレージ１１４に保存されたＥメール設定情報（Ｅメールの宛先、件名、ファイル名、本文）を検索する。検索するのは、認証送信のログイン画面５２１０において入力されたユーザ名で保存されているＥメール設定情報である。
ステップＳ８０８において、ＭＦＰ１０１は、ログインユーザと同じユーザ名のＥメール設定情報があるかを判定する。
ログインユーザと同じユーザ名のＥメール設定情報がある場合（Ｓ８０８：ＹＥＳ）、ステップＳ８０９に遷移する。ログインユーザと同じユーザ名のＥメール設定情報がない場合（Ｓ８０８：ＮＯ）、ステップＳ８１１に遷移する。
【０１０９】
ログインユーザと同じユーザ名のＥメール設定情報がある場合（Ｓ８０８：ＹＥＳ）、ステップＳ８０９において、ＭＦＰ１０１は、Ｅメール送信画面５０２０（図５Ｃ（ｄ））に遷移する。そして、ポップアップ５０１０を表示することにより、Ｅメール設定情報が保存されていることをユーザに通知する。ポップアップ５０１０の「ＯＫ」５０１１が押下されると、ステップＳ８１０に遷移する。
ステップＳ８１０において、ＭＦＰ１０１は、Ｅメール設定情報を設定したＥメール送信画面５０２０を表示する。
【０１１０】
ステップＳ８０８でログインユーザと同じユーザ名のＥメール設定情報がない場合（Ｓ８０８：ＮＯ）、ステップＳ８１１において、ＭＦＰ１０１は、認証送信のログイン実行後の送信画面を表示する。
【０１１１】
図５Ｃは、モバイル端末からＥメール送信を試みるとき、別のユーザがＭＦＰ１０１においてＥメール送信機能を実行している場合における、ＭＦＰ１０１の操作部１１６に表示される画面の遷移を説明する図である。ここでは、図６に示したとおり、ユーザａａａがモバイル端末１０２を通してＭＦＰ１０１からＥメール送信を実行している時に、ユーザｂｂｂがモバイル端末１０８を通してＥメール送信を試みる例について説明する。
【０１１２】
ユーザｂｂｂによるモバイル端末１０８からログイン情報（ユーザ名、パスワード、サーバ名またはドメイン名）とＥメール設定情報（宛先、件名、ファイル名、本文）を受信すると、ＭＦＰ１０１は、認証サーバ１０７にアクセスして認証処理を実行する。認証に成功したら、ログイン情報とＥメール設定情報をストレージ１１４に保存する。
ここで、ＭＦＰ１０１は、ユーザａａａによるＥメール送信機能を実行中であるため、ユーザｂｂｂは、ＭＦＰ１０１においてＥメール送信機能を実行することができない。そのため、ＭＦＰ１０１は、モバイル端末１０８から受信したＥメール設定情報を保存するが、Ｅメール送信画面５０２０は表示せず、ペンディング状態であることをＥメール送信応答（ペンディング）でモバイル端末１０８に通知する。モバイル端末１０８は、Ｅメール送信がペンディングであるメッセージ４６０（図４Ｂ（ｃ））を表示して、Ｅメール送信要求を終了する。
【０１１３】
ここで、Ｅメール送信画面５０２０（図５Ｃ（ａ））における宛先設定５０２１の「モバイルポータル」５０２５は、モバイルポータルの設定画面（不図示）を表示するためのショートカットボタンである。「モバイルポータル」５０２５は、モバイル端末＝アドレス帳連携の設定（不図示）が有効になると表示されるボタンである。モバイル端末＝アドレス帳連携の設定は、Ｅメール送信機能によりモバイル端末から送信設定情報を受信するための設定で、有効に設定すると、図７Ａ〜Ｃのフローチャートに示すＥメール送信要求受信処理が動作する。モバイルポータルの設定画面において、ＭＦＰ１０１はモバイル端末１０２との無線通信設定を行うことができる。
【０１１４】
モバイル端末１０８との無線通信設定後、ＭＦＰ１０１の操作部１１６の画面は、Ｅメール送信画面５０２０（図５Ａ（ｂ）から（ｄ））に戻る。そして、ＭＦＰ１０１は、モバイル端末１０８との無線通信接続を行い、モバイル端末１０８からＥメール設定情報を受信すると、ポップアップ５０１０（図５Ａ（ｂ））を表示する。そして、受信した宛先を宛先設定５０２１に設定し（図５Ａ（ｃ））、また、受信した件名、本文、ファイル名を送信設定５０３０に設定する（図５Ａ（ｄ））。
【０１１５】
ユーザａａａがログアウトしてホーム画面３０５（図５Ｃ（ｂ））に戻ると、モバイル端末１０８からＥメール設定情報を送信したユーザｂｂｂが、Ｅメール送信を実行するため、スキャン３０１を押下する。すると、ＭＦＰ１０１の操作部１１６には、認証送信のログイン画面５２１０（図５Ｃ（ｃ））が表示される。
認証送信のログイン画面５２１０には、「サーバ名」５２１１、「ユーザ名」５２１２、「パスワード」５２１３を入力するテキストボックスが表示される。そして、「ログイン」５２１４が押下されると、スキャン３０１ボタンから実行可能な送信機能（Ｅメール、ファイルなど）が表示（不図示）される。
なお、本実施形態においては、「ユーザ名」５２１２に入力されたユーザ名と、ストレージ１１４に保存されているログインユーザのユーザ名が一致していると判定されると、Ｅメール送信画面５０２０とポップアップ５０１０が表示される（図５Ｃ（ｄ））。そして、ＭＦＰ１０１は、モバイル端末１０８からのＥメール設定情報を受信したことをユーザｂｂｂに通知する。以降は、図５Ａと同様に画面が遷移するため、説明を省略する。
【０１１６】
以上のとおり、第２の実施形態は、あるユーザ（例えば、ａａａ）がＭＦＰ１０１のＥメール送信機能を実行している間に、他のユーザ（例えば、ｂｂｂ）がＥメール送信を試みる場合である。この場合、ＭＦＰ１０１は、ユーザｂｂｂから送信されたＥメール設定情報を設定することなく、保存しておく。そして、ユーザａａａによるＥメール送信が終了したら、ＭＦＰ１０１は、保存しているＥメール設定情報を用いてユーザｂｂｂによるＥメール送信を実行する。これにより、ユーザｂｂｂは、ユーザａａａによるＥメール送信が終了したら、すぐにＥメール送信を実行することができる。
【０１１７】
＜第３の実施形態＞
次に、第３の実施形態について説明する。
本実施形態においては、ＭＦＰ１０１の設定に応じて、ログイン要求時のＥメール設定情報をそのまま設定するか、あるいは、設定を行わずに、ログイン要求時のログイン情報とＥメール設定情報を保存するようにするかを、切り替えることとする。
図７Ｃは、第３の実施形態における、モバイル端末からＥメール送信要求を受信した際にＭＦＰ１０１において実行されるデータ受信処理（Ｅメール送信要求受信処理）を示すフローチャートである。
【０１１８】
ステップＳ７２１からステップＳ７４０までは、第２の実施形態で説明したフローチャートと同様であるため、説明を省略する。但し、本実施形態では、ステップＳ７３２において、認証送信がログイン済みの場合（ＹＥＳ）、ステップＳ７３７に遷移する。一方、認証送信が未ログインの場合（ＮＯ）、ステップＳ７４１に遷移する。
【０１１９】
ステップＳ７４１において、ＭＦＰ１０１は、「送信設定情報受信時のユーザでログイン」９０８の設定をストレージ１１４から読み出す。
ここで、「送信設定情報受信時のユーザでログイン」９０８（図９を参照）は、「許可しない」に設定されている場合、ＭＦＰ１０１は、認証送信のログイン画面５２１０（図５Ｃ（ｃ））を表示する。一方、「許可する」に設定されている場合、ＭＦＰ１０１は、認証送信のログイン画面５２１０を表示することなく、Ｅメール送信画面５０２０（図５Ｃ（ｄ））を表示する。
【０１２０】
「送信設定情報受信時のユーザでログイン」９０８が「許可する」に設定されている場合（Ｓ７４１：ＹＥＳ）、ステップＳ７３３に遷移する。一方、「送信設定情報受信時のユーザでログイン」９０８が「許可しない」に設定されている場合（Ｓ７４１：ＹＥＳ）、ステップＳ７３９に遷移する。
【０１２１】
以上のとおり、第３の実施形態においては、ＭＦＰ１０１は、設定に応じて、ログイン要求をしたときのログイン情報とＥメール設定情報をそのまま設定するか否かを切り替える。すなわち、ログイン要求時のＥメール設定情報を設定してＥメール送信画面を表示するか、あるいは、ログイン要求時のログイン情報とＥメール設定情報を保存してＥメール送信をペンディングとするかを切り替える。
【０１２２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
また、本発明は、複数の機器から構成されるシステムに適用しても、１つの機器からなる装置に適用してもよい。
本発明は上述の実施形態に限定されるものではなく、本発明の趣旨に基づき種々の変形が可能であり、それらを本発明の範囲から除外するものではない。すなわち、上述の実施形態及びその変形例を組み合わせた構成もすべて本発明に含まれるものである。
【符号の説明】
【０１２３】
１０１      ＭＦＰ
１０２      モバイル端末
１０７      認証サーバ
１０８      モバイル端末
【図１】
2020065215.tif 000003
【図２】
2020065215.tif 000004
【図３】
2020065215.tif 000005
【図４Ａ】
2020065215.tif 000006
【図４Ｂ】
2020065215.tif 000007
【図５Ａ】
2020065215.tif 000008
【図５Ｂ】
2020065215.tif 000009
【図５Ｃ】
2020065215.tif 000010
【図６】
2020065215.tif 000011
【図７Ａ】
2020065215.tif 000012
【図７Ｂ】
2020065215.tif 000013
【図７Ｃ】
2020065215.tif 000014
【図８】
2020065215.tif 000015
【図９】
2020065215.tif 000016